(57)【特許請求の範囲】
【請求項１】
制御情報の設定のために操作される複数の情報設定操作部材と、
前記情報設定操作部材の操作に応じて前記制御情報を設定する情報設定手段と、
前記複数の情報設定操作部材毎の前記制御情報の設定操作の有効／無効を切換えるために操作される単一の共通操作部材と、
前記複数の情報設定操作部材のうち前記設定操作を有効とするものと無効とするものの組合わせを前記共通操作部材の操作量に応じて切換える切換え制御手段とを具備することを特徴とするカメラの情報設定装置。
【請求項２】
請求項１記載のカメラの情報設定装置において、
前記切換え制御手段は、前記組合わせを前記共通操作部材の操作量に応じて一定の順序で切換えることを特徴とするカメラの情報設定装置。
【請求項３】
請求項１記載のカメラの情報設定装置において、
前記組合わせの中には、すべての情報設定操作部材による前記制御情報の設定操作を無効とする全無効モードが含まれることを特徴とするカメラの情報設定装置。
【請求項４】
請求項１記載のカメラの情報設定装置において、
前記組合わせの中には、すべての情報設定操作部材による前記制御情報の設定操作を有効とする全有効モードが含まれることを特徴とするカメラの情報設定装置。
【請求項５】
請求項４記載のカメラの情報設定装置において、
前記切換え制御手段は、前記共通操作部材の一回の操作の継続時間が所定時間より短い場合には前記組合わせを前記共通操作部材の操作量に応じて切換え、前記共通操作部材の一回の操作の継続時間が前記所定時間以上のときには前記組合わせを前記全有効モードに切換えることを特徴とするカメラの情報設定装置。
【請求項６】
請求項４記載のカメラの情報設定装置において、
前記共通操作部材が二方向に操作可能に設けられ、
前記切換え制御手段は、前記共通操作部材が所定方向へ操作されたときには前記組合わせを前記共通操作部材の操作量に応じて切換え、前記共通操作部材が前記所定方向と異なる方向へ操作されたときには前記組合わせを前記全有効モードに切換えることを特徴とするカメラの情報設定装置。
【請求項７】
制御情報の設定のために操作される複数の情報設定操作部材と、
前記情報設定操作部材の操作に応じて前記制御情報を設定する情報設定手段と、
前記複数の情報設定操作部材毎の前記制御情報の設定操作の有効／無効を切換えるために操作される単一の共通操作部材と、
前記共通操作部材と前記情報設定操作部材との連係操作に応答して、連係操作された情報設定操作部材による前記制御情報の設定操作の有効／無効を切換える切換え制御手段とを具備することを特徴とするカメラの情報設定装置。
【請求項８】
請求項７記載のカメラの情報設定装置において、
前記切換え制御手段は、前記共通操作部材の操作に連係して前記情報設定操作部材が所定の単位量操作される毎に、連係操作された情報設定操作部材による前記制御情報の設定操作の有効／無効を交互に切換えることを特徴とするカメラの情報設定装置。
【請求項９】
請求項７記載のカメラの情報設定装置において、
前記共通操作部材と前記情報設定操作部材との連係操作は、前記共通操作部材と前記情報設定操作部材の同時操作であることを特徴とするカメラの情報設定装置。
【請求項１０】
請求項１または８記載のカメラの情報設定装置において、
前記複数の情報設定操作部材毎の前記制御情報の設定操作の有効／無効を表示する表示手段が設けられていることを特徴とするカメラの情報設定装置。
【発明の詳細な説明】
【０００１】
【産業上の利用分野】
本発明は、電子ダイアル等の情報設定操作部材の操作に応じてシャッタ速度や絞り値等の制御情報を設定するカメラの情報設定装置に関する。
【０００２】
【従来の技術】
カメラの情報設定装置として、回転操作量に応じたパルス信号を発生する電子ダイアル等の情報設定操作部材（以下、電子ダイアルで代表する。）を設け、この電子ダイアルからのパルス信号に応じてシャッタ速度や絞り値等の各種の制御情報を設定するものがある。このような装置では、ダイアルの動作をカムやリンク等で機械的に伝達する構成と異なり、電子ダイアルからのパルス信号を制御装置側へ電気的に伝達すればよいので、電子ダイアルの設置場所の自由度が高い。また、電子ダイアルの操作力を小さく設定して軽快な操作感を実現できる。その反面、操作力が小さいために撮影者の衣服等に触れただけで電子ダイアルが回転し、撮影者が気付かないうちに情報の設定状態が変化するおそれがある。
【０００３】
そこで、例えば特開平２−２１０４２４号公報に記載されているように、電子ダイアルによる情報設定操作の有効／無効を切換えるロックスイッチを設け、このスイッチを無効側に切換えたときは電子ダイアルが動いても設定状態が変化しないようにした装置が提案されている。図１６はその一例を示すもので、電子ダイアル５１による情報入力をロックレバー５２のＬ位置への操作により電気的に禁止する。なお、本明細書では、上述した電子ダイアルのような情報設定操作部材を操作しても制御情報が設定できない状態を「無効」、制御情報が設定できる状態を「有効」と呼ぶ。
【０００４】
【発明が解決しようとする課題】
カメラの各種制御情報を上述した装置で設定する場合、シャッタ速度や絞り値のように撮影中に頻繁に変更される情報は、別々の電子ダイアルで設定することが望ましい。しかしながら、複数の電子ダイアルを設けた上で各電子ダイアル毎に上記のロックスイッチを設けると、操作部材の数が増えてカメラの小型化が阻害される。全ての電子ダイアルの操作が無効の状態から、咄嗟に無効の解除が必要となった場合には、複数のロックスイッチをすべて操作しなければならず煩雑である。
【０００５】
本発明の目的は、複数の情報設定操作部材毎の制御情報の設定操作の有効／無効が切換え可能で、カメラの小型化も可能なカメラの情報設定装置を提供することにある。
【０００６】
【課題を解決するための手段】
一実施例を示す図１および図３に対応付けて説明すると、請求項１の発明に係るカメラの情報設定装置は、制御情報の設定のために操作される複数の情報設定操作部材２、４と、情報設定操作部材２、４の操作に応じて制御情報を設定する情報設定手段１０と、複数の情報設定操作部材毎の制御情報の設定操作の有効／無効を切換えるために操作される単一の共通操作部材６と、複数の情報設定操作部材のうち設定操作を有効とするものと無効とするものの組合わせを共通操作部材６の操作量に応じて切換える切換え制御手段１０とを具備する。
請求項２の発明は、上記組合わせを前記共通操作部材の操作量に応じて一定の順序で切換えるものである。
請求項３の発明は、上記組合わせの中に、すべての情報設定操作部材による制御情報の設定操作を無効とする全無効モードが含まれるものである。
請求項４の発明は、上記組合わせの中に、すべての情報設定操作部材による制御情報の設定操作を有効とする全有効モードが含まれるものである。
請求項５の発明は、共通操作部材の一回の操作の継続時間が所定時間より短い場合には上記組合わせを共通操作部材の操作量に応じて切換え、共通操作部材の一回の操作の継続時間が所定時間以上のときには上記組合わせを全有効モードに切換えるものである。
請求項６の発明は、共通操作部材が二方向に操作可能に設けられ、共通操作部材が所定方向へ操作されたときには上記組合わせを前記共通操作部材の操作量に応じて切換え、共通操作部材が所定方向と異なる方向へ操作されたときには上記組合わせを全有効モードに切換えるものである。
図１２および図１３に対応付けて説明すると、請求項７の発明は、共通操作部材６と情報設定操作部材２、４との連係操作に応答して、連係操作された情報設定操作部材による制御情報の設定操作の有効／無効を切換える切換え制御手段を備える。
請求項８の発明は、共通操作部材の操作に連係して情報設定操作部材が所定の単位量操作される毎に、連係操作された情報設定操作部材による制御情報の設定操作の有効／無効を交互に切換えるものである。
請求項９の発明は、共通操作部材と前記情報設定操作部材との連係操作を、共通操作部材と情報設定操作部材の同時操作としたものである。
請求項１０の発明は、複数の情報設定操作部材毎の制御情報の設定操作の有効／無効を表示する表示手段を設けたものである。
【０００７】
【作用】
請求項１の発明では、複数の情報設定操作部材のうち設定操作を有効とするものと無効とするものの組合わせを共通操作部材６の操作量に応じて切換える。
請求項７の発明では、共通操作部材６と情報設定操作部材２、４との連係操作に応答して、連係操作された情報設定操作部材による制御情報の設定操作の有効／無効を切換える。
【０００８】
なお、本発明の構成を説明する上記課題を解決するための手段と作用の項では、本発明を分かり易くするために実施例の図を用いたが、これにより本発明が実施例に限定されるものではない。
【０００９】
【実施例】
−第１実施例−
以下、図１〜図５を参照して本発明の第１実施例を説明する。
図１は本実施例の情報設定装置が組み込まれたカメラを示すもので、１はカメラボディ、２は回転操作可能な第１入力ダイアル、３はレリーズ釦、４はレリーズ釦３を中心として回転操作可能な第２入力ダイアルである。第１入力ダイアル２および第２入力ダイアル４はいずれもパルス発生器を内蔵し、所定角度回転操作される毎に１パルスをそれぞれ発生する。５はＬＣＤ等で構成される表示部、６は第１入力ダイアル２および第２入力ダイアル４による制御情報の設定操作の有効／無効を切換えるために操作されるロック釦、７は機能選択釦である。表示部５には、シャッタ速度や絞り値等の各種制御情報の設定状態や、第１入力ダイアル２および第２入力ダイアル４による制御情報の設定操作の有効／無効が表示される。なお、以下の説明では、第１入力ダイアル２および第２入力ダイアル４を区別する必要がないときに入力ダイアル２，４と略記することもある。
【００１０】
第１入力ダイアル２による制御情報の設定操作が有効なときは、第１入力ダイアル２の回転量に応じてシャッタ速度の設定が変化する。機能選択釦７が押された状態で第１入力ダイアル２が操作されたときは、機能選択釦７により選択された制御情報（例えば露出補正量）の設定が変化する。第２入力ダイアル４による制御情報の設定操作が有効なときは、第２入力ダイアル４の回転量に応じて絞り値の設定が変化する。第１入力ダイアル２による制御情報の設定操作が無効のときには表示部５に指標８が、第２入力ダイアル４による制御情報の設定操作が無効のときには表示部５に指標９が表示される。指標８，９は入力ダイアル２，４を差し示す三角形状である。
【００１１】
本実施例では、ロック釦６の押込み操作回数に応じて全有効モード、第１無効モード、第２無効モードまたは全無効モードが選択される。全有効モードでは、第１入力ダイアル２による制御情報の設定操作および第２入力ダイアル４による制御情報の設定操作の双方が有効となる。第１無効モードでは、第１入力ダイアル２による設定操作が無効、第２入力ダイアル４による設定操作が有効となる。第２無効モードでは、第１入力ダイアル２による設定操作が有効、第２入力ダイアル４による設定操作が無効となる。全無効モードでは、第１入力ダイアル２による制御情報の設定操作および第２入力ダイアル４による制御情報の設定操作の双方が無効となる。全有効モードでは図２（ａ）に示すように指標８，９がともに消去され、第１無効モードでは図２（ｂ）に示すように指標８のみが表示され、第２無効モードでは図２（ｃ）に示すように指標９のみが表示され、全無効モードでは図２（ｄ）に示すように指標８，９がともに表示される。なお、図２（ａ）〜図２（ｄ）では、指標８、９以外の表示を省略した。実際には表示部５にシャッタ速度や絞り値、撮影駒数等の各種撮影情報が表示される。
【００１２】
図３は本実施例のカメラの制御系のうち、入力ダイアル２，４の操作の有効／無効の切換え制御に係わる部分のブロック図である。図において１０はマイクロコンピュータおよびその動作に必要な周辺回路から構成され、カメラ各部の動作を制御するＣＰＵである。ＣＰＵ１０には、ロック釦６（図１参照）の押込み操作に応答してオンとなるロックスイッチ１１、第１入力ダイアル２からのパルス信号を計数する第１カウンタ１２、第２入力ダイアル４からのパルス信号を計数する第２カウンタ１３、およびＣＰＵ１０からの制御信号に応じて表示部５を駆動する表示駆動部１４が接続される。また、ＣＰＵ１０にはシャッタ速度や絞り値等の各種撮影条件を制御する不図示の撮影制御装置が接続される。ＣＰＵ１０は第１カウンタ１２または第２カウンタ１３の計数値にしたがって撮影制御装置の設定状態を変化させる。さらに、ＣＰＵ１０には、ロックスイッチ１１のオン回数を計数するカウンタ１５が接続される。カウンタ１５は２ビットのカウンタである。カメラの電源オンでカウンタ１５の計数値は”００”にリセットされ、ロックスイッチ１１がオンされる毎に計数値が１ずつ加算される。計数値が”１１”に達すると再び”００”から計数が開始される。
【００１３】
図４および図５はＣＰＵ１０による入力ダイアル２，４の操作の有効／無効の切換え処理を示すフローチャートである。ロック釦６の押込み操作に応答してロックスイッチ１１がオンすると、ＣＰＵ１０はその時点で実行していた処理を中断して図４および図５の処理を割込み実行する。
まず、ステップＳ１０１ではロックスイッチ１１のオン時間（一回オンされてからオフされるまでの時間）ｔを内蔵するタイマ１００で計時し、ロックスイッチ１１のオフによりステップＳ１０２へ移行する。ステップＳ１０２ではオン時間ｔが所定時間Ｔ（例えば２〜３秒）未満か否かを判断する。所定時間Ｔ未満であればステップＳ１０３へ、そうでなければステップＳ１１４へ進む。ステップＳ１１４ではカウンタ１５を”００”にリセットしてステップＳ１１５へ進む。
【００１４】
ステップＳ１０３では、一定時間内にロックスイッチ１１から再度オン信号が到来するか否かによりロック釦６が再び押込み操作されたか否かを判断する。再操作なしと判断したときはステップＳ１０４へ進む。ロック釦６が再操作されたときはステップＳ１０１へ戻る。なお、ステップＳ１０１〜ステップＳ１０４が繰り返される間、カウンタ１５の計数値はロックスイッチ１１のオン回数に対応して増加する。
【００１５】
ステップＳ１０４ではカウンタ１５の計数値を読み込む。ステップＳ１０５ではカウンタ１５の計数値が”０１”か否か判断し、計数値が”０１”であれば第１無効モードと判断してステップＳ１０６へ進む。ステップＳ１０６では第１入力ダイアル２の操作を無効、第２入力ダイアル４の操作を有効とする。ステップＳ１０６の処理後はステップＳ１０７へ進み、表示部５に指標８を表示させ、指標９を消去する（図２（ｂ）参照）。この後、割込み処理を終了する。
【００１６】
ステップＳ１０５にて計数値が”０１”でないと判断したときはステップＳ１０８へ進み、カウンタ１５の計数値が”１０”か否か判断する。計数値が”１０”であれば第２無効モードと判断してステップＳ１０９へ進む。ステップＳ１０９では第１入力ダイアル２の操作を有効、第２入力ダイアル４の操作を無効とする。続くステップＳ１１０では、表示部５に指標９を表示させ、指標８を消去する（図２（ｃ）参照）。この後、割込み処理を終了する。
【００１７】
ステップＳ１０８にて計数値が”１０”でないと判断したときはステップＳ１１１へ進み、カウンタ１５の計数値が”１１”か否か判断する。計数値が”１１”であれば全無効モードと判断してステップＳ１１２へ進む。ステップＳ１１２では第１入力ダイアル２および第２入力ダイアル４の双方の操作を無効とする。続くステップＳ１１３では、表示部５に指標８、９をともに表示させる（図２（ｄ）参照）。この後、割込み処理を終了する。
【００１８】
ステップＳ１１１にて計数値が”１１”でないときは全有効モードと判断してステップＳ１１５へ進み、第１入力ダイアル２および第２入力ダイアル４の双方の操作を有効とする。続くステップＳ１１６では、表示部５から指標８、９を消去する（図２（ａ）参照）。この後、割込み処理を終了する。
【００１９】
なお、以上の処理において第１入力ダイアル２の操作を無効とするには、例えばＣＰＵ１０からの信号により、第１カウンタ１２の計数動作を禁止させ、第２入力ダイアル４の操作を無効とするには第２カウンタ１３の計数動作を禁止させればよい。これらの処理により、入力ダイアル２，４の操作に拘らず第１カウンタ１２，第２カウンタ１３の計数値が一定に保持されて各種の制御情報の設定変更が不可能となる。
【００２０】
以上から明らかなように、本実施例では、１回の押し込み継続時間が所定時間Ｔに満たない範囲でロック釦６が１回または２回以上押し込み操作された場合、カウンタ１５の計数値に応じて入力ダイアル２，４の有効／無効の設定状態が第１無効モード、第２無効モード、全無効モード、全有効モードの順に周期的に変化する。したがって、単一のロック釦６により入力ダイアル２，４毎の操作の有効／無効を希望する状態に切換えることができる。入力ダイアル２，４毎にロック釦６を設ける必要がないので、カメラを小型化できる。
【００２１】
ロック釦６が所定時間Ｔ以上継続して押し込まれた場合には、図４に示すステップＳ１０２が否定され、ステップＳ１１５の処理により全有効モードが強制的に選択される。このため、全有効モードへの切換えを極めて簡単かつ迅速に行なうことができる。咄嗟に全有効モードへの切替えが必要なときでも撮影者が迷うおそれがない。入力ダイアル２，４毎の有効／無効が表示部５に表示されるので、有効／無効の切換え状態が一目で確認できる。この実施例では入力ダイアル２、４が情報設定操作部材、ロック釦６が切換え部材および共通操作部材、ＣＰＵ１０が情報設定手段および切換え制御手段、表示部５が表示手段にそれぞれ相当する。
【００２２】
−第２実施例−
図６〜図１１を参照して本発明の第２実施例を説明する。なお、上述した第１実施例との共通部分には同一符号を付し、説明を省略する。
【００２３】
図６に示すように本実施例では、上述した第１実施例のロック釦６に代えてロックレバー２６が設けられている。ロックレバー２６は、図示の位置から左右のＬ位置、Ｒ位置へそれぞれスライド操作可能である。ロックレバー２６から手を離すと、不図示の付勢部材（例えばばね）によりＬ位置とＲ位置との中間位置にロックレバー２６が復帰する。ロックレバー２６をＬ位置へ操作したときは、第１実施例と同様に入力ダイアル２，４の操作の有効／無効が第１無効モード、第２無効モード、全無効モード、全有効モードの順に周期的に変化する。ロックレバー２６をＲ位置へ操作したときは全有効モードが強制的に選択される。全有効モードでは図７（ａ）に示すように指標８，９がともに消去され、第１無効モードでは図７（ｂ）に示すように指標８のみが表示され、第２無効モードでは図７（ｃ）に示すように指標９のみが表示され、全無効モードでは図７（ｄ）に示すように指標８，９がともに表示される。なお、図７（ａ）〜図７（ｄ）では、指標８、９以外の表示を省略した。実際には表示部５にシャッタ速度や絞り値、撮影駒数等の各種撮影情報が表示される。
【００２４】
図８は本実施例のカメラの制御系のうち、入力ダイアル２，４の操作の有効／無効の切換え制御に係わる部分のブロック図である。図において３０はマイクロコンピュータおよびその動作に必要な周辺回路から構成され、カメラ各部の動作を制御するＣＰＵである。ＣＰＵ３０には、上述した第１実施例と同様に、ロックスイッチ１１、第１カウンタ１２、第１カウンタ１３、表示駆動部１４、カウンタ１５が接続されるとともに、ロック解除スイッチ３１が接続されている。ロックスイッチ１１はロックレバー２６をＬ位置へ操作したときにオンとなり、ロック解除スイッチ３１はロックレバー２６をＲ位置へ操作したときにオンとなる。ロックレバー２６がＬ位置とＲ位置の中間にあるときは、ロックスイッチ１１およびロック解除スイッチ３１がともにオフとなる。また、ＣＰＵ３０には不図示の撮影制御装置が接続され、第１カウンタ１２および第２カウンタ１３の計数値にしたがって不図示の撮影制御装置の設定状態が変化する。
【００２５】
図９および図１０はＣＰＵ３０による入力ダイアル２，４の操作の有効／無効の切換え処理を示すフローチャートである。ロックレバー２６のＬ位置への操作に応答してロックスイッチ１１がオンすると、ＣＰＵ３０はその時点で実行していた処理を中断して図９および図１０の処理を割込み実行する。
【００２６】
まず、ステップＳ２０１では一定時間内にロックスイッチ１１から再度オン信号が到来するか否かによりロックレバー２６がＬ位置へ再操作されたか否かを判断する。再操作なしと判断したときステップＳ２０２へ進む。ロックレバー２６がＬ位置へ再操作されたときは同じ判断を繰り返す。なお、この判断が繰り返される間、カウンタ１５の計数値はロックレバー２６のＬ位置への操作回数に対応して増加する。
【００２７】
ステップＳ２０２ではカウンタ１５の計数値を読み込む。ステップＳ２０３ではカウンタ１５の計数値が”０１”か否か判断し、計数値が”０１”であれば第１無効モードと判断してステップＳ２０４へ進む。ステップＳ２０４では第１入力ダイアル２の操作を無効、第２入力ダイアル４の操作を有効とする。ステップＳ２０４の処理後はステップＳ２０５へ進み、表示部５に指標８を表示させ、指標９を消去する（図７（ｂ）参照）。この後、割込み処理を終了する。
【００２８】
ステップＳ２０３にて計数値が”０１”でないと判断したときはステップＳ２０６へ進み、カウンタ１５の計数値が”１０”か否か判断する。計数値が”１０”であれば第２無効モードと判断してステップＳ２０７へ進む。ステップＳ２０７では第１入力ダイアル２の操作を有効、第２入力ダイアル４の操作を無効とする。続くステップＳ２０８では、表示部５に指標９を表示させ、指標８を消去する（図７（ｃ）参照）。この後、割込み処理を終了する。
【００２９】
ステップＳ２０６にて計数値が”１０”でないと判断したときはステップＳ２０９へ進み、カウンタ１５の計数値が”１１”か否か判断する。計数値が”１１”であれば全無効モードと判断してステップＳ２１０へ進む。ステップＳ２１０では第１入力ダイアル２および第２入力ダイアル４の双方の操作を無効とする。続くステップＳ２１１では、表示部５に指標８、９をともに表示させる（図７（ｄ）参照）。この後、割込み処理を終了する。
【００３０】
ステップＳ２０９にて計数値が”１１”でないときは全有効モードと判断してステップＳ２１２へ進み、第１入力ダイアル２および第２入力ダイアル４の双方の操作を有効とする。続くステップＳ２１３では、表示部５から指標８、９をともに消去する（図７（ａ）参照）。この後、割込み処理を終了する。
【００３１】
図１１はＣＰＵ３０による入力ダイアル２，４の操作の全有効モードへの強制切換え処理を示すフローチャートである。ロックレバー２６のＲ位置への操作に応答してロック解除スイッチ３１がオンすると、ＣＰＵ３０はその時点で実行していた処理を中断して図１１の処理を割込み実行する。
【００３２】
この処理では、まずステップＳ２５１でカウンタ１５を”００”にリセットし、続くステップＳ２５２にて第１入力ダイアル２および第２入力ダイアル４の双方の操作を有効とする。そして、ステップＳ２５３にて、表示部５から指標８、９をともに消去する（図７（ａ）参照）。この後、割込み処理を終了する。
【００３３】
以上から明らかなように、本実施例ではロックレバー２６がＬ位置へ１回または２回以上スライド操作された場合、図９および図１０に示す処理により、カウンタ１５の計数値に応じて入力ダイアル２，４の有効／無効の設定状態が第１無効モード、第２無効モード、全無効モード、全有効モードの順に周期的に変化する。したがって、単一のロックレバー２６により入力ダイアル２，４毎の操作の有効／無効を希望する状態に切換えることができる。入力ダイアル２，４毎にロックレバー２６を設ける必要がないので、カメラを小型化できる。
【００３４】
ロックレバー２６がＲ位置へスライド操作された場合には、図１１に示す処理により全有効モードが強制的に選択される。このため、全有効モードへの切換えを極めて簡単かつ迅速に行なうことができる。咄嗟に全有効モードへの切替えが必要なときでも撮影者が迷うおそれがない。この実施例では入力ダイアル２、４が情報設定操作部材、ロックレバー２６が切換え部材および共通操作部材、ＣＰＵ３０が情報設定手段および切換え制御手段にそれぞれ相当する。
【００３５】
なお、ロックレバー２６を一方向にのみスライド操作可能とし、全スライド量に満たない範囲で操作が繰り返されるときには第１無効モード、第２無効モード、全無効モードを順列的に選択し、最大スライド量まで操作されたときには全有効モードが強制的に選択されるようにしてもよい。この場合、最大スライド量と中間スライド量とでレバーの操作力を変えると区別が容易である。
【００３６】
−第３実施例−
図１２〜図１５により本発明の第３実施例を説明する。なお、上述した第１実施例または第２実施例との共通部分には同一符号を付し、説明を省略する。
図１２に示すように、本実施例ではカメラの上面に第１実施例と同じく押込み操作式のロック釦６が設けられる。そして、ロック釦６と第１入力ダイアル２または第２入力ダイアル４の連係操作により、入力ダイアル２、４の有効／無効が切換えられる。表示部５はシャッタ速度を示す数値指標３８、絞り値を示す数値指標３９を表示する。第１入力ダイアル２によるシャッタ速度の設定操作が無効になると、図１２（ｂ）または図１２（ｄ）に示すように数値指標３８の上部に線状の指標４０が表示される。第２入力ダイアル４による絞り値の設定操作が無効になると、図１２（ｃ）または図１２（ｄ）に示すように数値指標３９の上部に線状の指標４１が表示される。
【００３７】
図１３は本実施例のカメラの制御系のうち、入力ダイアル２、４の操作の有効／無効の切換え制御に係わる部分のブロック図である。上述した第１実施例と比較して、本実施例ではロックスイッチ１１のオン回数を計数するカウンタ１５が省略され、それ以外は第１実施例のものと共通している。但し、入力ダイアル２、４による制御情報の設定操作の有効／無効の切換え制御は第１実施例と異なる。
【００３８】
図１４および図１５は本実施例のＣＰＵ１０による入力ダイアル２、４の操作の有効／無効の切換え処理を示すフローチャートである。ロック釦６の押込み操作に応答してロックスイッチ１１がオンすると、ＣＰＵ１０はその時点で実行していた処理を中断して図１４および図１５の処理を割込み実行する。
【００３９】
まず、ステップＳ３０１では、ＣＰＵ１０の内蔵タイマ１００を起動してロックスイッチ１１のオン時間（一回オンされてからオフされるまでの時間）ｔの計時を開始する。ステップＳ３０２では第１入力ダイアル２から第１カウンタ１２に１パルスが入力されたか否かを判断する。入力があればステップＳ３０３へ進む。ステップＳ３０３では第１入力ダイアル２による制御情報の設定操作が現在有効か否かを判断する。有効であればステップＳ３０４へ進んで第１入力ダイアル２の操作を無効とし、続くステップＳ３０５にて表示部５に指標４０を表示させる（図１２（ｂ）、１２（ｄ）参照）。
【００４０】
ステップＳ３０３にて第１入力ダイアル２が有効ではないと判断したときは、ステップＳ３０７へ進んで第１入力ダイアル２の操作を有効とし、続くステップＳ３０８にて表示部５から指標４０を消去する（図１２（ａ）、図１２（ｃ）参照）。ステップＳ３０５またはステップＳ３０８の後はステップＳ３０６へ進み、ステップＳ３０２の判断後に第１カウンタ１２へ１パルスが入力されたか否かを判断する。入力があればステップＳ３０３へ戻り、入力がなければ処理を終了する。
【００４１】
ステップＳ３０２で第１カウンタ１２へのパルス入力がないと判断したときは、ステップＳ３０９（図１５）へ進む。ステップＳ３０９では第２入力ダイアル４から第２カウンタ１３へ１パルスが入力されたか否かを判断する。入力があればステップＳ３１０へ進む。ステップＳ３１０では第２入力ダイアル４による制御情報の設定操作が現在有効か否かを判断する。有効であればステップＳ３１１へ進んで第２入力ダイアル４の操作を無効とし、続くステップＳ３１２にて表示部５に指標４１を表示させる（図１２（ｃ）、１２（ｄ）参照）。
【００４２】
ステップＳ３１０にて第２入力ダイアル４が有効ではないと判断したときは、ステップＳ３１４へ進んで第２入力ダイアル４の操作を有効とし、続くステップＳ３１５にて表示部５から指標４１を消去する（図１２（ａ）、図１２（ｂ）参照）。ステップＳ３１２またはステップＳ３１５の後はステップＳ３１３へ進み、ステップＳ３０９の判断後に第２カウンタ１３へ１パルスが入力されたか否かを判断する。入力があればステップＳ３１０へ戻り、入力がなければ処理を終了する。
【００４３】
ステップＳ３０９で第２カウンタ１３へのパルス入力がないと判断したときはステップＳ３１６へ進む。ステップＳ３１６ではその時点でのオン時間ｔが所定時間Ｔ（例えば２〜３秒）を超えたか否かを判断する。所定時間Ｔ以下であればステップＳ３０２へ戻り、所定時間Ｔを超えていればステップＳ３１７へ進む。ステップＳ３１７では第１入力ダイアル２および第２入力ダイアル４の双方を有効とし、続くステップＳ３１８では表示部５から指標４０、４１を消去する。この後、処理を終了する。なお、ステップＳ３０１〜ステップＳ３１８の処理中もロックスイッチ１１のオン・オフが監視され、ロックスイッチ１１がオフされるとその時点で処理が終了する。
【００４４】
以上の処理によれば、ロック釦６を押しながら第１入力ダイアル２を回転操作したときは、ステップＳ３０３〜ステップＳ３０６の処理により第１入力ダイアル２の回転操作量が１パルス相当量に達する毎に第１入力ダイアル２による制御情報の設定操作の有効／無効が交互に切換わる。ロック釦６を押しながら第２入力ダイアル４を回転操作したときは、ステップＳ３１０〜ステップＳ３１３の処理により第２入力ダイアル４の回転操作量が１パルス相当量に達する毎に第２入力ダイアル４による制御情報の設定操作の有効／無効が交互に切換わる。なお、有効／無効を切換える際のダイアル２、４の操作方向は問わない。
【００４５】
このように、ロック釦６と入力ダイアル２，４との連係操作により、入力ダイアル２，４の有効／無効を個別に切換えることができるので、第１実施例や第２実施例のように一定の順序で有効／無効の組合せを変化させる場合と異なり、希望するダイアルの有効／無効を任意に切換えできる。しかも、ロック釦６は２つの入力ダイアル２，４に対して共用されるので、各ダイアル２、４毎にロック釦６を設ける場合よりも操作部材の数を減らすことができる。ロック釦６を単独で一定時間押し続けることにより全有効モードが得られる点は上述した実施例と同じである。この実施例では入力ダイアル２、４が情報設定操作部材、ロック釦６および入力ダイアル２、４が切換え操作部材、ロック釦６が共通操作部材、ＣＰＵ１０が情報設定手段および切換え制御手段にそれぞれ相当する。
【００４６】
なお、本発明は、情報設定操作部材を２つ設けた例に限らず、３つ以上設けた場合でも適用できる。この場合、情報設定操作部材毎の有効／無効の全ての組合わせを選択可能とする必要は必ずしもなく、使用頻度の高い有効／無効の組合わせを抽出して選択可能とすればよい。
【００４７】
第１実施例および第２実施例ではロック釦６またはロックレバー２６の操作回数に応じて入力ダイアル２、４の有効／無効を順に切換えたが、ロック釦６をダイアル状に構成して、一定量操作される毎に有効／無効の組合せを変更してもよい。
【００４８】
【発明の効果】
以上説明したように、請求項１〜６の発明では、複数の情報設定操作部材のうち設定操作を有効とするものと無効とするものの組合わせを単一の共通操作部材の操作量に応じて切換えるようにしたので、共通操作操作部材を１個追加するだけで情報設定操作部材毎に有効／無効を設定でき、最小限の構成でカメラの使い勝手を向上させることができる。
有効／無効の組合せが一定順序で変るようにすれば、有効／無効の切換え操作に一層簡単に習熟できる。共通操作部材の操作を繰り返すと必ず全無効モードに切換わるようにすれば、すべての情報設定操作部材の無効状態への切換えを簡単に実行できる。共通操作部材の共通操作部材の操作を繰り返すと必ず全有効モードに切換わるようにすれば、咄嗟に情報設定操作部材の無効を解除する必要が生じたときでも簡単に対応できる。共通操作部材の１回の操作を所定時間以上継続すると全有効モードに切換わるようにしたり、共通操作部材を所定方向と異なる方向へ操作するだけで全有効モードに切換わるようにすれば、咄嗟に情報設定操作部材の無効を解除する必要が生じたときに一層容易に対応できる。
請求項７〜９の発明では、共通操作部材と情報設定操作部材との連係操作に応答して、連係操作された情報設定操作部材による制御情報の設定操作の有効／無効を切換えるようにしたので、上述と同様に共通操作操作部材を１個追加するだけで情報設定操作部材毎に有効／無効を設定でき、最小限の構成でカメラの使い勝手を向上させることができる。また共通操作部材の操作に連係して操作された情報設定操作部材の有効／無効が切換わるので、所望の情報設定操作部材の有効／無効を直接切換えることができ、切換え操作の内容と有効／無効が切換えられる情報設定操作部材との対応が明確で、操作が判りやすい。
共通操作部材の操作に連係して情報設定操作部材を所定の単位量操作する毎に有効／無効が切換わるようにすれば、所望の情報設定操作部材の有効／無効を直接かつ簡単に切換えることができる。共通操作部材と情報設定操作部材が同時操作されない限り有効／無効が切換わらないようにすれば、情報設定操作部材による制御情報の設定操作と情報設定操作部材の操作による有効／無効の切換え操作との相違が明確で、誤操作のおそれがない。
複数の情報設定操作部材毎の制御情報の設定操作の有効／無効を表示する表示手段を設ければ、複数の情報設定操作部材毎の有効／無効を一目で確認できる。
【図面の簡単な説明】
【図１】本発明の第１実施例に係る情報設定装置を組込んだカメラを示す図で、（ａ）は平面図、（ｂ）は正面図。
【図２】第１実施例での入力ダイアルの操作の有効／無効の設定状態と表示部の表示との対応関係を示す図。
【図３】第１実施例の情報設定装置を組込んだカメラの制御系の要部のブロック図。
【図４】第１実施例での入力ダイアルの操作の有効／無効の切換え処理に関するフローチャートの一部。
【図５】図４に続くフローチャート。
【図６】本発明の第２実施例に係る情報設定装置を組込んだカメラを示す図で、（ａ）は平面図、（ｂ）は正面図。
【図７】第２実施例での入力ダイアルの操作の有効／無効の設定状態と表示部の表示との対応関係を示す図。
【図８】第２実施例の情報設定装置を組込んだカメラの制御系の要部のブロック図。
【図９】第２実施例での入力ダイアルの操作の有効／無効の切換え処理に関するフローチャートの一部。
【図１０】図９に続くフローチャート。
【図１１】第２実施例での入力ダイアルの有効状態への強制切換え処理に関するフローチャート。
【図１２】本発明の第３実施例での入力ダイアルの操作の有効／無効の設定状態と表示部の表示との対応関係を示す図。
【図１３】第３実施例の情報設定装置を組込んだカメラの制御系の要部のブロック図。
【図１４】第３実施例での入力ダイアルの操作の有効／無効の切換え処理に関するフローチャートの一部。
【図１５】図１４に続くフローチャート。
【図１６】電子ダイアルの操作無効状態の設定が可能な従来例のカメラの背面図。
【符号の説明】
２  第１入力ダイアル
４  第２入力ダイアル
５  表示部
６  ロック釦
８  第１入力ダイアルの操作の無効を示す指標
９  第２入力ダイアルの操作の無効を示す指標
１０，３０  ＣＰＵ
１１  ロックスイッチ
１２  第１入力ダイアルのパルス信号を計数する第１カウンタ
１３  第２入力ダイアルのパルス信号を計数する第２カウンタ
１５  ロックスイッチのオン回数を計数するカウンタ
２６  ロックレバー
３１  ロック解除スイッチ
【図１】
0003648760.tif 000002
【図２】
0003648760.tif 000003
【図３】
0003648760.tif 000004
【図４】
0003648760.tif 000005
【図５】
0003648760.tif 000006
【図６】
0003648760.tif 000007
【図７】
0003648760.tif 000008
【図８】
0003648760.tif 000009
【図９】
0003648760.tif 000010
【図１０】
0003648760.tif 000011
【図１１】
0003648760.tif 000012
【図１２】
0003648760.tif 000013
【図１３】
0003648760.tif 000014
【図１４】
0003648760.tif 000015
【図１５】
0003648760.tif 000016
【図１６】
0003648760.tif 000017